(57)【要約】【課題】  生物系廃液のＢＯＤおよびＣＯＤレベルを低減、および流路における有機性の異物の発生を抑制することができる処理装置を提供する。【解決手段】  オゾンを用いて清浄処理する生物系廃液の処理装置において、前記廃液を貯留するタンクと、前記廃液とオゾンとが混合・反応する反応槽と、該反応槽からの処理物質を気液分離する脱気槽とを有し、前記反応槽の溶液内および脱気槽の気相部に紫外線源を配することを特徴とする。また、前記廃液を貯留するタンクと、前記廃液とオゾンとが混合・反応する反応槽と、該反応槽からの処理物質を気液分離する脱気槽とを有するとともに、前記廃液へのオゾンの混入を、前記タンク内でのノズルによる注入、タンクと反応槽の中間流路での注入、および反応槽直前における注入によって行うことを特徴とする。【選択図】  図１
2005211825.tif 000002
【特許請求の範囲】
【請求項１】
オゾンを用いて清浄処理する生物系廃液の処理装置において、前記廃液を貯留するタンクと、前記廃液とオゾンとが混合・反応する反応槽と、該反応槽からの処理物質を気液分離する脱気槽とを有し、前記反応槽の溶液内および脱気槽の気相部に紫外線源を配することを特徴とする生物系廃液の処理装置。
【請求項２】
オゾンを用いて清浄処理する生物系廃液の処理装置において、前記廃液を貯留するタンクと、前記廃液とオゾンとが混合・反応する反応槽と、該反応槽からの処理物質を気液分離する脱気槽とを有するとともに、前記廃液へのオゾンの混入を、前記タンク内でのノズルによる注入、タンクと反応槽の中間流路での注入、および反応槽直前における注入によって行うことを特徴とする生物系廃液の処理装置。
【請求項３】
前記廃液の処理に際し、前記反応槽内部を加圧することを特徴とする請求項１または２記載の生物系廃液の処理装置。
【請求項４】
前記廃液へのオゾンの混入を、タンクと反応槽の中間に設けられたエジェクタミキサによって行うことを特徴とする請求項１〜３のいずれかに記載の生物系廃液の処理装置。
【請求項５】
前記脱気槽によって分離された溶液を、タンクと反応槽の中間流路から前記廃液に注入し、処理液の循環系を形成することを特徴とする請求項１〜４のいずれかに記載の生物系廃液の処理装置。
【発明の詳細な説明】
【技術分野】
【０００１】
本発明は、生物系廃液の廃液処理装置に関し、詳しくは、血液透析装置の廃液を処理する装置に関する。
【背景技術】
【０００２】
血液透析装置の廃液は、ブドウ糖などの栄養分に富んでおり、化学的酸素要求量（ＣＯＤ）および生物化学的酸素要求量（ＢＯＤ）が高いため、下水道へ排出する前にＣＯＤおよびＢＯＤを低下させることが好ましく、一部水質規制の対象として管理が必要となることがある。血液透析廃液は、活性汚泥槽のような設備があれば生物処理を施すことができる。しかし、活性汚泥槽の設置には広いスペースを必要とするため、都市部、特に市街中心部のテナントビル内にある診療所などでは活性汚泥槽を設置することはほとんど不可能である。このため、都市部の大半の診療所で発生する血液透析廃液は、特別な処理を行わずにそのまま、またはわずかにｐＨを調整してから直接下水道もしくは公共水域に排出されているのが現状である。
【０００３】
従来、血液透析廃液の処理装置としては、例えば図３に示す装置が知られている。この装置は、タンク内で透析廃液とオゾン水とを効率的に混合するものであり、透析廃液の臭いを除去し、透析廃液中に含まれる栄養分を分解することを目的としている（例えば特許文献１）。
【特許文献１】特開２００１−１４９４７号公報
【発明の開示】
【発明が解決しようとする課題】
【０００４】
しかし、水に対するオゾンの溶解度が低く、しかも水中のオゾンは急速に分解するため、透析廃液に対してオゾン水を混合して処理するだけでは、ＢＯＤおよびＣＯＤレベルを十分に低減させることはできない。
【０００５】
また、透析廃液が血液透析装置からタンクへ達するまでの配管内に、廃液成分から細菌による産出物（異物）が成長し、プラグとなって配管が詰まるという問題がある。このようなプラグを除去して配管をメンテナンスするには、煩雑な作業が必要になる。
【０００６】
特に、廃液の処理量が増加した場合にあっては、従来の技術でＢＯＤ等の低減およびプラグの発生を十分に防止することは非常に困難であり、大掛かりな装置を必要とする。
【０００７】
さらに、処理装置内部においても、透析廃液とオゾンとの気液混合によって移送中に気泡が生成しやすく、流路内特に反応槽内での圧力バランスが狂う原因となるなどの問題が生じる可能性がある。
【０００８】
本発明の目的は、生物系廃液のＢＯＤおよびＣＯＤレベルを低減、および流路における有機性の異物の発生を抑制することができる処理装置を提供することにある。特に、廃液の処理量が増加した場合においても、有機・生物系物質の分解や除菌を簡便かつ効率的に処理することが可能な生物系廃液の処理装置を提供することにある。
【課題を解決するための手段】
【０００９】
本発明者らは、上記課題を解決するために鋭意研究を重ねた結果、以下に示す生物系廃液の処理装置によって上記目的を達成できることを見出し、本発明を完成するに到った。
【００１０】
本発明に係る生物系廃液の処理装置は、オゾンを用いて清浄処理する生物系廃液の処理装置において、前記廃液を貯留するタンクと、前記廃液とオゾンとが混合・反応する反応槽と、該反応槽からの処理物質を気液分離する脱気槽とを有し、前記反応槽の溶液内および脱気槽の気相部に紫外線源を配することを特徴とする。
【００１１】
本発明者は、オゾン処理とともに用いる紫外線照射処理が、有機・生物系物質の分解によるＢＯＤおよびＣＯＤレベルの低減、その分解機能による有機性異物の付着防止、および除菌機能によるプラグの発生防止に有効な役割を担うとともに、廃液処理の中間段階で生じる気泡の低減およびオゾンガスの分解に非常に有効であることを見出した。
【００１２】
具体的には、特定波長域の紫外線照射によって、（１）オゾンの分解反応が生じ酸素が発生する、（２）発生した酸素は廃液内に溶解し、（３）気泡は縮小し消滅・低減する、（４）溶解した酸素は溶液中の有機物等と反応する、といった現象が生じていると推考される。また、他の波長域での紫外線照射によって、（１）オゾンと有機物等との分解反応を促進させる、（２）紫外線エネルギーによって有機物等を分解する、（３）溶液中の細菌を死滅させる、といった働きが生じていると推考される。
【００１３】
さらには、オゾンを含むガス体に特定の波長域の紫外線を照射した場合、上記機能に加えオゾンが分解し低減することから、廃液処理後に発生する排気ガスの処理に有効であることを見出した。
【００１４】
本発明は、こうした知見を基に、異なる特性を有する紫外線照射を準備し、一方は有機性異物の発生がしやすく気泡の最も発生しやすい反応槽内部および脱気槽液面に対し紫外線照射を行い、また他方は脱気槽で分離した排気ガスへの照射を行うことによって、簡便かつ効率的にＢＯＤおよびＣＯＤレベルを低減し、流路におけるプラグの発生を抑制し、併せて排気ガスの処理を容易にすることを可能としたものである。
【００１５】
特に、こうした気泡は放置すれば、オゾン処理における重要な要素である流路の圧力制御に大きな影響を及ぼし、さらにはプラグ同様流路の閉塞の要因ともなりうることから、最も有効な部位において早期に気泡の発生を抑制することで、課題解決を可能とした。こうした生物系廃液の処理を行うことによって、廃液のＢＯＤおよびＣＯＤレベルを低減し流路におけるプラグの発生を抑制することができる処理装置を提供することができる。
【００１６】
また、オゾンを用いて清浄処理する生物系廃液の処理装置において、前記廃液を貯留するタンクと、前記廃液とオゾンとが混合・反応する反応槽と、該反応槽からの処理物質を気液分離する脱気槽とを有するとともに、前記廃液へのオゾンの混入を、前記タンク内でのノズルによる注入、タンクと反応槽の中間流路での注入、および反応槽直前における注入によって行うことを特徴とする。
【００１７】
オゾン処理は有機・生物系物質の分解に対して非常に有効な手段である一方、オゾンが有する化学的な不安定さや溶液への溶解速度の遅さなどオゾン処理に対する障害も大きい。本発明はこうした課題に対し、以下のように廃液の処理プロセスに見合ったオゾンの注入によって、効率的なオゾン処理を可能とした。
【００１８】
（１）タンク内でのノズルによるオゾンの注入によって、タンク内の廃液表面（特にタンク内壁面の近傍）での異物の発生を防止するとともに、予め廃液にオゾンを混合・溶解しておく。
【００１９】
（２）タンクと反応槽の中間流路に予備的にオゾンを注入することによって、廃液とオゾンとの混入・拡散を促進する。特にオゾン水の注入が効果的である。
【００２０】
（３）反応槽直前においてオゾンを注入し、廃液とオゾンとの混入・拡散をさらに促進して広空間を形成する反応槽内で十分な反応を可能とする。特にジェット流による注入などの強制的混合法が好ましい。
【００２１】
上記生物系廃液の処理装置であって、前記廃液の処理に際し、前記反応槽内部を加圧することが好適である。
【００２２】
気体の溶液への溶解度は高圧ほど高いことはよく知られている。本発明では、上記のように廃液へのオゾンの混合・溶解は容易でないことから、反応槽内部を加圧にすることによって、オゾンの溶解を促進することができ、有機物などの分解を促しＢＯＤおよびＣＯＤレベルの低減を促進することができる。さらに、本願特有の効果として、溶液での気泡の発生を抑制し、気液混合状態での気泡の縮小・消滅を図ることができる。
【００２３】
また、上記生物系廃液の処理装置であって、前記廃液へのオゾンの混入を、タンクと反応槽の中間に設けられたエジェクタミキサによって行うことが好適である。
【００２４】
上記のように、廃液とオゾンとの混入・拡散には強制的混合手段を用いることが好ましい。本発明では、エジェクタミキサをタンクと反応槽の中間に設け、廃液のジェット流にオゾンを巻き込むことで両者を素早く混合させることができ、有機・生物系物質の速やかな分解反応による生物系廃液の迅速な処理を可能とすることができる。
【００２５】
さらに、上記生物系廃液の処理装置であって、前記脱気槽によって分離された溶液を、タンクと反応槽の中間流路から前記廃液に注入し、処理液の循環系を形成することが好適である。
【００２６】
脱気槽の溶液には、未反応のオゾンが溶解した状態で残留している。本発明は、こうした反応活性度の高い溶液を有効に活かし、タンクと反応槽の中間流路に注入することで、有機・生物系物質の速やかな分解反応を促進し、生物系廃液の迅速な処理を可能とすることができる。
【発明の効果】
【００２７】
以上のように、本発明の生物系廃液の処理装置によれば、有機・生物系物質の分解や除菌を簡便かつ効率的に処理することが可能となり、生物系廃液のＢＯＤおよびＣＯＤレベルを低減、および流路におけるプラグの発生を抑制することができる。特に、廃液の処理量が増加した場合においても、紫外線処理およびオゾン処理を迅速かつ効果的に行うことで、非常にコンパクトな装置によって、生物系廃液の処理を行うことができる。
【発明を実施するための最良の形態】
【００２８】
以下、本発明の実施の形態について、図面を参照しながら説明する。
【００２９】
図１は、本発明に係る生物系廃液の処理装置の構成を例示するブロック図であり、透析廃液処理の一つの実施形態として説明する。ただし、本発明の装置はこれに限定されず、目的に応じて種々の変更が可能である。
【００３０】
図１に示す透析廃液処理装置は、主要な処理槽として、透析廃液を貯留するためのタンク１、透析廃液中の有機物を分解する反応槽２、および反応後の処理物質を気液分離する脱気槽３とを有する。廃液は、以下のプロセスによって処理される。
【００３１】
（１）血液透析装置（図示せず）から排出される透析廃液は、輸送管を通して回収槽４へ輸送され、一時的に貯留される。ここで、血液透析装置とは、透析液生成部および患者監視部を含む装置全体あるいはその一部の装置をいう。
【００３２】
（２）回収槽４に貯留された廃液は、ポンプ５によってタンク１に順次移送され、清浄処理が開始される。
【００３３】
（３）タンク１内に導入された廃液は、タンク１の上部に設けられたノズル６から注入される第１のオゾン混入廃液Ａ（以下「液Ａ」という）と混合され、タンク１の下側部から取り出される（２次廃液）。
【００３４】
（４）２次廃液は、加圧ポンプ７によって加圧され、逆止弁８ａ、圧力調整弁９、エジェクタミキサ１０を介して反応槽２に導入される。このとき、タンク１と加圧ポンプ７の中間流路に第２のオゾン混入廃液Ｂ（以下「液Ｂ」という）が注入・混合され、さらに圧力調整弁９とエジェクタミキサ１０との中間流路に気相オゾンＣが注入されることが好ましい。エジェクタミキサ１０を用いた場合には、それによって発生するジェット流によって、２次廃液が液Ａ、液Ｂおよび気相オゾンＣと強制的に混合されて反応槽２に導入される。
【００３５】
（５）反応槽２においては、２次廃液と、液Ａと液Ｂ中のオゾンおよび気相オゾンＣとが加圧条件の下で反応する。具体的には、２次廃液に含有する有機・生物系物質がオゾンによって分解し、水や二酸化炭素（ＣＯ２）あるいは低炭化水素や低炭化水酸化物などに変換し、溶液のＢＯＤおよびＣＯＤレベルが低減する。
【００３６】
（６）同時に、反応槽２内上部に設けられた第１紫外線源１１を作動し紫外線を照射する。これによって、反応槽２内の廃液中の細菌は死滅するとともに、上部に集散する気泡（あるいは泡沫）が低減する。このとき、反応槽２の中央側部から廃液の一部を液Ａとして取り出し、タンク１のノズル６に圧送する。
【００３７】
（７）反応槽２内部で処理された廃液（処理物質）は、リリーフ弁１２を介して脱気槽３に導入される。このとき、処理物質は常圧条件となり新たに発生する気体を含め気液が混合した物質となる。
【００３８】
（８）処理物質は、脱気槽３において気液分離し、気体成分を排気ラインから放出するとともに、液体成分を排水槽１３に供出する。ここで、脱気槽３の気相部に第２紫外線源１４を設けることが好ましい。排気中のオゾンを分解低減することができることから、排気処理の負担を大幅に軽減することができる。また、透析廃液の処理量が増加した場合にあっては、未処理の廃液および気泡を一部に含むことがあり、紫外線照射によって廃液処理を補完し、気泡の低減するによって排気ラインあるいは排気処理部への飛沫の混入を防止することができる。
【００３９】
（９）排気ラインに供出された気体成分は、熱交換器１５、ミストセパレータ１６およびオゾンキラー１７によって処理された後、排気される。
【００４０】
（１０）排水槽１３に供出された液体成分は、一部を液Ｂとして電磁弁１８ｂを介して２次廃液に注入される。他方、大部分は溶解オゾンが分解される所定時間貯留され、その後排水される。このとき、廃液処理量あるいはその他必要に応じて、排出槽に清浄水（通常の用途に供されない水道水あるいはＲＯ装置排水（濃縮水）など）を供給し、排液を希釈する。また、清浄水はタンク１に供給することも可能である。
【００４１】
（１１）本装置に供給された透析廃液は、以上のプロセスを経て、処理済の排水および清浄ガスとして排出される。
【００４２】
以下、本発明に係る処理装置の詳細を上記プロセスに沿って説明する。
【００４３】
上記プロセス（１）において、血液透析装置から輸送された透析廃液は、輸送管内での異物の発生を防止するため、回収槽４に達するまで実質的に気密に保持されることが好ましい（すなわちほとんど空気に触れないようにする）。なお、図１では、１つの輸送管が回収槽４に接続されている状態を示しているが、複数の血液透析装置からの廃液を回収槽４に接続する場合には、各々輸送管を回収槽４に接続する構成が挙げられる。
【００４４】
回収槽４には、回収された廃液の状態を監視する測定器２３例えばｐＨ計が設けられとともに、下側部にタンク１に繋がる配管およびオーバフロー配管が設けられている。本装置での処理が不要な廃液つまり血液透析装置を洗浄した後のＲＯろ過水などを処理装置に導入したときには、ポンプ５を停止することによって、後者の配管から、廃液をそのまま排出することができる。
【００４５】
本装置においては、タンク１は、液面検知のために、レベルセンサ１９を設けることが好ましい。導入される廃液の処理量が少ない場合には、所定量貯留するまで処理を停止あるいは間欠的に処理し、多い時には廃液の供給を停止するなどの制御をすることも可能である。
【００４６】
また、廃液の供給・処理の事前準備として、ＲＯ濃縮水やオゾン発生器用冷却水を排水槽１３に供給することで、希釈液が、液Ｂとして廃液処理流路に供給され、反応槽２を経由してノズル６から液Ａとしてタンク１に注入することができる。つまり、処理流路内のＢＯＤおよびＣＯＤレベルを減少させることができる。
【００４７】
プロセス（３）における、タンク１内部でのノズル６による液Ａの注入は、例えば、タンク１の上部壁面に向かい約４５°程度の角度で放出することで、廃液面への放出とともに側壁面に沿って液Ａを塗れ落とすことができ、２つの点において有効である。１つには、廃液表面での異物の発生を防止する点において有効である。つまり、液Ａを注入せずに廃液を供給していくと液表面に沈殿物や異物が浮かび上がると同時に、タンクの内壁面に付着する。特に液面からタンク壁面上部に沿って付着が進み、やがて固着することになる。本装置のようにタンク１の内壁面の近傍にオゾンを含む液Ａを放つことによって、こうした付着を防止することができる。２つには、予め廃液にオゾンを含む液を混合・溶解しておく点において有効である。つまり、廃液へのオゾンの溶解速度は遅く、また廃液とオゾン水との混合およびオゾンの拡散速度が遅いことから、反応槽２での反応前に事前に混合させることが好ましい。本装置のようにタンク１にオゾンを含む液Ａを放つことによって、予めオゾンとの混合を行うことができ、均一な混合・分解反応に有効である。
【００４８】
このとき、処理する廃液の量によって、液Ａの注入量を可変することが可能である。多量の廃液には注入量を増やし、少量の廃液には注入量を減らすことで上記の効果を確保するとともに、注入するタイミングおよび頻度を制御することによって後段での気泡の発生を抑制することができる。
【００４９】
プロセス（４）においては、タンクと反応槽の中間流路に予備的にオゾンを注入することが好ましい。タンク１への液Ａの注入と同様、予めオゾンとの混合を行うことによって、均一な混合・分解反応を確保することができる。特にオゾン水の注入が効果的であり、図１では、排水槽１３から液Ｂを注入する方法を構成し、脱気槽によって分離された溶液には未反応のオゾンが溶解した状態で残留していることを利用している。また、こうした構成によって、処理液の循環系を形成することができ、上記のように処理系の安定な制御が可能となる。
【００５０】
本装置においては、１次廃液は加圧状態で反応槽２に導入されることが好ましい。これは、気体の溶液への溶解を促進するため、つまりオゾンを廃液に溶解させて有機物などとの反応および除菌を促進するためであるとともに、加圧ポンプ７以降の流路および反応槽内での気泡の発生を抑制することができる。具体的には、加圧ポンプ７によって０．３〜０．７ＭＰａ程度に圧送し、反応槽２において０．１から０．４ＭＰａ程度の加圧条件が装置の耐圧性あるいは操作性から好ましい。
【００５１】
また、エジェクタミキサ１０は、気相オゾンＣを１次廃液に有効に混合し反応槽２に供給する機能を有するものであれば、特に制限はないが、例えばベンチュリあるいは細孔などによって流路を絞り加圧流体を押出すものが挙げられる。音速に近い臨界速度での噴射などによってジェット流を形成するとともに、その吹出口の周囲から気相オゾンＣを巻き込むことで、効率的な気液混合を図るものである。特に、上記の加圧条件下においては、エジェクタミキサ１０における気相オゾンＣの混入によって発生する細かな気泡表面におけるオゾンの溶解には効果的である。加圧条件でエジェクタを用いることはこうした危険性の回避を図る意味においても有効である。
【００５２】
ここで供給される気相オゾンＣは、酸素を含む気体（図１においては空気を例示した）をコンプレッサ２０で加圧しエアドライヤ２１で除湿した後、オゾン発生器２２によって作製される。むろん、乾燥精製した高圧空気もしくは高圧酸素の準備であればコンプレッサ２０およびエアドライヤ２１は不要である。
【００５３】
オゾン発生器２２は、無声放電型や紫外線照射型などが挙げられるが、前者は発生オゾン濃度が高いことから多用される。本装置では、無声放電型によって約数％レベルのオゾンガスを用い、電磁弁１８ｃおよび逆止弁８ｃを介してエジェクタミキサ１０に供給されることで、廃液中の有機物等の分解反応が進み、ＢＯＤおよびＣＯＤレベルを低減することができる。また、廃液中の細菌を排除するために必要なオゾンを確保することができる。
【００５４】
プロセス（５）においては、反応槽２内部で、廃液が一定時間拡散しながら滞留することによって、有機物等の分解反応が進み、ＢＯＤおよびＣＯＤレベルを低減することができる。特に、予備的なオゾンの混合および加圧条件という反応の加速要因を有する本装置においては、反応槽２自体を小型化・簡素することが可能であり、装置全体のコンパクト化に有効である。
【００５５】
具体的に、図１に例示する装置において、所望の処理速度を得るためには、供給するオゾンガスの濃度は３％以上とすることが好ましい。実機においては、廃液が３０℃以上となることが多く、例えば反応槽２の内部温度が約３０〜４０℃詳しくは３５℃程度となるが、オゾンの水中濃度５０ｍｇ／Ｌより高い状態で操作されることで、廃液中の有機物等の分解反応および滅菌が進み、ＢＯＤおよびＣＯＤレベルを低減することができる。
【００５６】
また、プロセス（６）に示すように、反応槽２内部には第１紫外線源１１が設けられ、分解反応を促進し細菌の排除を行うとともに、気泡を低減することができる。これは、紫外線照射によって生じる上述のような現象によって気泡の低減効果を産み出すもので、気泡の存在による流路の圧力制御への悪影響や流路の閉塞などの要因を排除し、安定的なオゾン処理を可能とする。特に、反応槽２には空気層などの空間を形成しないことが好ましく、気泡の拡大する反応槽２の上部から配することで、より高い効果を得ることができる。
【００５７】
ここで、第１紫外線源１１としては、１５０〜３００ｎｍの広域発光波長特性を有する紫外線源が好適であり、低圧水銀ランプ、キセノンランプ、重水素ランプなどの紫外線ランプが挙げられる。また、反応槽２の大きさあるいは処理能力に応じて複数本を用いることも可能である。
【００５８】
本発明は、このように反応槽２内において、オゾンおよび紫外線の作用により有機物などが迅速に分解され、オゾンキラー１７への水分の混入防止やＣＯＤおよびＢＯＤを有効に低減することができる。さらに細菌および気泡の低減を図り、以降の流路における異物およびプラグの発生を抑制することができる。
【００５９】
また、血液透析装置では過酢酸を含む消毒剤を用いて洗浄を行うことがあり、これらの物質は透析廃液のＢＯＤおよびＣＯＤレベルを上昇させる場合もあるが、これらの物質も反応槽２で有効に分解することができる。
【００６０】
プロセス（７）においては、反応槽２から供出された処理物質が、脱気槽３に導入され気液分離が行われ、気体成分を排気ラインから放出するとともに、液体成分を排水槽１３に供出する。このとき、分離される気液ともにオゾンを含んだ状態であり、廃液処理量が多い場合には、未処理の気泡を含み、脱気槽３において効果的に処理する必要がある。
【００６１】
ここで、プロセス（８）に示すように、脱気槽３の気相部に第２紫外線源１４を設けることが好ましい。上述のように紫外線照射によって、異物の発生防止とともに気泡の低減を図ることができることから、脱気槽３の液面上に生じる気泡にも照射できるように、図１に示すような液面より上まで出るように設置されることが好ましい。ただし、液中における気泡の残留が多い場合には、液内に第２紫外線源１４の一部を浸漬することも可能である。なお、第２紫外線源１４は、反応槽２の大きさあるいは処理能力に応じて複数個設けてもよい。また、図１のように円筒状の脱気槽３にあってはその中心部に設けることで、より均一に作用するとともに、特に気泡が集まり易い液面より上部に均一に作用し低減効果が高くなる。
【００６２】
また、従来気泡が残留すると反応槽２からの圧力によって気泡が吹き飛び、オゾンキラー１７への水分混入し、その性能劣化の要因となるおそれがあったが、本装置のように気泡を低減することによって、こうした可能性を事前に防止することができる。
【００６３】
ＣＯＤおよびＢＯＤを低減し気液分離した液体成分は、排水槽１３に供出される一方、プロセス（９）に示すように、排気ラインに供出された気体成分は、通常、熱交換器１５、ミストセパレータ１６およびオゾンキラー１７によって処理された後、清浄ガスとして排気される。
【００６４】
また、第２紫外線源１４によって特定波長域の紫外線を上記排気ガスに照射することによって、オゾンを分解することができる。第２紫外線源１４としては、２５０〜３００ｎｍの狭帯域の発光波長特性を有する紫外線源が好適であり、低圧水銀ランプやキセノンランプなどの紫外線ランプが挙げられ、これに光学フィルタあるいは同性能のガラス体をカバーすることで波長選択性を上げることが可能である。
【００６５】
このように紫外線源が有するオゾン分解機能を利用することによって、オゾンキラー１７の負荷を大幅に軽減することができる。具体的に、本発明者が行った、紫外線によるオゾン分解実験の結果を図２に例示する。血液透過廃液にオゾンガスを供給して混合し、これに低圧水銀ランプによる紫外線照射を行った場合と行わなかった場合の排出される排ガス中のオゾン濃度を測定した結果、紫外線照射を行った場合、排ガス中のオゾンは９０％以上という高い効率で分解し、ほとんど含まれていないことが明らかとなった。
【００６６】
ミストセパレータ１６は、微小な水滴・飛沫を集合し排ガス中の水分を除く働きをし、オゾンキラー１７はオゾンガスを分解するもので熱分解を利用する方法によって行うものでもよい。
【００６７】
上記のような構成を有する本装置では、薬剤を用いずに従来問題となっていた処理流路内における異物の発生を抑えることができる。また、活性汚泥槽を設置する場合のように広い空間を必要とせずに、ＣＯＤおよびＢＯＤを有効に低減することも可能である。
【００６８】
プロセス（１０）においては、排水槽１３に供出された液体成分は、一部を液Ｂとして電磁弁１８ｂを介して２次廃液に注入される。上述のように、こうした構成をとることによって、残留オゾンを含む処理済の溶液を活用し処理液の循環系を形成することができることから、廃液処理量の増減に伴う処理系への影響を軽減し、安定な処理系の制御が可能となる。
【００６９】
他方、液体成分の大部分は、溶解オゾンが分解される所定時間貯留され、その後排水される。このとき、廃液処理量あるいは液Ｂのオゾン濃度と供給量その他必要に応じて、排水槽１３に清浄水（水道水あるいはＲＯ排水（濃縮水））などを供給し、排液を希釈する。なお、使用する水は水道水、あるいはＲＯ水を生成する際の濃縮水（通常は廃水として排出される）等でよく、必ずしも逆浸透膜（ＲＯ膜）などを用いて生成したＲＯ水（ろ過水）などの比較的きれいな水を用いる必要はない。
【００７０】
図１には、水道水をオゾン発生器２２および排気の冷却に用いた後に排水槽１３に注入するとともに、ＲＯ排水（濃縮水）を排水槽１３に注入する構成を例示している。通常は単に排水として処理されているＲＯ排水（濃縮水）を有効に活用することで、本装置を含めた広い概念での人工透析システムの効率化・省資源化を適切に行い、システム全体のコンパクト化を可能としている。従って、現在使用されている外置き或いは埋設タイプの浄化槽に比較して、小型コンパクトで、今まで不可能であった室内設置が可能となり、中和剤・消臭財などの必要のなく、維持管理が容易となる。
【産業上の利用可能性】
【００７１】
以上は、主として透析治療中の排水あるいは透析準備中の排水を中心に述べたが、同様の技術は、上記に限定されるものでないことはいうまでもない。例えば、透析治療後のアルカリ洗浄中排水や透析治療後の酸洗浄中排水などにおいても適用可能である。
【図面の簡単な説明】
【００７２】
【図１】本発明に係る生物系廃液の処理装置の構成を例示する説明図
【図２】オゾンを含む排ガスに対する紫外線照射の効果を例示する説明図
【図３】従来の血液透析廃液の処理装置の構成を例示する説明図
【符号の説明】
【００７３】
１    タンク
２    反応槽
３    脱気槽
４    回収槽
５    ポンプ
６    ノズル
７    加圧ポンプ
１０  エジェクタミキサ
１１  第１紫外線源
１３  排水槽
１４  第２紫外線源
１７  オゾンキラー
【図１】
2005211825.tif 000003
【図２】
2005211825.tif 000004
【図３】
2005211825.tif 000005